(57)【特許請求の範囲】
【請求項１】
互いに異なる曲線形状の端縁部を有する上下２枚の生地の該端縁部同士を送り方向に送りながら縫い合わせるミシン装置の手前側に配置され、該ミシン装置における生地の送り方向に直交する左右方向の各生地の端縁部から縫い目までの位置ずれを自動補正する自動補正装置に設けられるミシン用補助装置であって、
前記自動補正装置の手前側に配置され、前記ミシン装置による一方の生地の送り動作を補助する補助装置を備え、
前記補助装置は、
前記自動補正装置に向かって延びるように配置されたガイド部と、
前記ガイド部に移動可能に設けられ、前記一方の生地の端縁部の縫い終わり側を引っ張り状態に保持して前記ミシン装置の送り動作に抵抗力を加えることにより、該端縁部を略直線状に変形させるクランプ部と、を有し、
前記ガイド部は、
前記送り方向に向かって直線状に延びかつ前記クランプ部が往復移動可能に支持されるレール部と、
前記レール部を、手前側端部を上下位置が調整可能となるように奥側端部で回動可能に支持する支持部と、を有する、ミシン用補助装置。
【請求項２】
請求項１に記載のミシン用補助装置において、
前記クランプ部は、前記レール部を上下両側から挟持した状態で転動して該レール部の長手方向に沿って往復移動可能な上下のローラーを有しており、
前記レール部は、前記支持部により、前記レール部の奥側端部の高さが手前側端部よりも高くなるように傾斜しており、
前記クランプ部は、前記レール部を前記ローラーが転動して手前側端部から奥側端部に向かって傾斜登り方向に移動するときの該クランプ部の自重による抵抗により、該レール部上を受動的に移動するように構成されている、ミシン用補助装置。
【請求項３】
請求項１または２に記載のミシン用補助装置において、
前記支持部には、前記クランプ部と接触したときに、該クランプ部による一方の生地端縁部の縫い終わり側の保持状態を解除させるスイッチ部が設けられている、ミシン用補助装置。
【請求項４】
互いに異なる曲線形状の端縁部を有する上下２枚の生地の該端縁部同士を送り方向に送りながら縫い合わせるミシン装置の手前側に配置され、該ミシン装置における生地の送り方向に直交する左右方向の各生地の端縁部から縫い目までの位置ずれを自動補正する自動補正装置に設けられるミシン用補助装置であって、
前記自動補正装置の手前側に配置され、前記ミシン装置による一方の生地の送り動作を補助する補助装置を備え、
前記補助装置は、
前記自動補正装置に向かって延びるように配置されたガイド部と、
前記ガイド部に移動可能に設けられ、前記一方の生地の端縁部の縫い終わり側を引っ張り状態に保持して前記ミシン装置の送り動作に抵抗力を加えることにより、該端縁部を略直線状に変形させるクランプ部と、
前記ミシン装置における生地の送り速度を検知する送り速度センサと、
前記クランプ部を前記ガイド部に沿って移動させる駆動部と、
前記クランプ部が前記ガイド部上で、前記送り速度センサにより検知された前記送り速度に同期して自動的に移動するように前記駆動部を制御する制御部と、を有する、ミシン用補助装置。
【請求項５】
請求項１〜４のいずれか１項に記載のミシン用補助装置を備える、ミシン。
【発明の詳細な説明】
【技術分野】
【０００１】
本発明は、ミシン用補助装置およびそれを用いたミシンに関するものである。
【背景技術】
【０００２】
従来から、ミシン装置に設けられるガイド装置として、例えば特許文献１に示されるものが知られている。
【０００３】
特許文献１には、生地の端縁部に関して自動的に制御して位置合わせをするための縫製機械用加工物ガイド装置が開示されている。具体的に、このガイド装置は、ミシン装置における生地の送り方向と直交する方向に延びる回転軸を中心に回転して、ミシン装置側に生地の端縁部を送る円筒状のガイドホイールと、外周部がガイドホイールの外周面から該回転軸に沿った方向に回動可能に突出し、この外周部の回転軸に沿った方向への回動により生地の端縁部から縫い目までの該回転軸に沿った方向の位置ずれを補正するホイールと、を備えている。
【先行技術文献】
【特許文献】
【０００４】
【特許文献１】特開平０６−１８２０７４号公報
【発明の概要】
【発明が解決しようとする課題】
【０００５】
上記特許文献１のガイド装置では、ガイドホイールが生地の送り方向と直交する方向に延びる回転軸を中心に回転するように構成されているため、例えば直線形状の端縁部を有する生地であれば、当該ガイド装置によりその生地の端縁部の直線形状を送り方向に沿わせることで、ミシン装置に対して正確かつ容易に生地を案内することが可能となる。
【０００６】
しかしながら、例えばシャツを構成する身頃の端縁部（袖口部分）と袖部の端縁部とはそれぞれ曲線形状が異なっていることが一般的であり、このような互いに異なる曲線形状の端縁部を有する２枚の生地を特許文献１のガイド装置によりミシン装置側に案内する場合、縫製作業者は、両手で両生地を持って送り方向に直交する方向に両生地をそれぞれ動かしながら端縁部と縫い目までの間隔を調整しなければならない。このような調整作業を行うためには高い熟練度を有する縫製作業の技能が必要になる。このことから、経験の浅い作業者が縫製作業を行った場合には縫い合わせ部分にしわ等の不具合が生じるおそれがある。すなわち、互いに異なる曲線形状の端縁部を有する２枚の生地の縫い付けを行う場合、特許文献１のミシンでは、熟練者のような卓越した技能を要し、経験の浅い作業者では品質的に一定の縫い上がりを得ることが困難であった。
【０００７】
本発明は斯かる点に鑑みてなされたものであり、その目的は、新たな装置を設けることで、曲線形状の端縁部を有する生地の縫い付けに関し、経験の浅い作業者であっても所定の品質の縫い上がりが得られるようにすることにある。
【課題を解決するための手段】
【０００８】
上記の目的を達成するために、この発明では、曲線形状の端縁部を有する一方の生地をミシン装置および自動補正装置に対してスムーズに送るための補助装置を新たに設けるようにした。
【０００９】
具体的には、本発明の第１の形態はミシン用補助装置に係り、このミシン用補助装置は、互いに異なる曲線形状の端縁部を有する上下２枚の生地の該端縁部同士を送り方向に送りながら縫い合わせるミシン装置の手前側に配置され、かつ該ミシン装置における生地の送り方向に直交する左右方向の各生地の端縁部から縫い目までの位置ずれを自動補正する自動補正装置に設けられるものである。ミシン用補助装置は、自動補正装置の手前側に配置され、かつミシン装置による一方の生地の送り動作を補助する補助装置を備えている。そして、補助装置は、自動補正装置に向かって延びるように配置されたガイド部と、該ガイド部に移動可能に設けられ、一方の生地の端縁部の縫い終わり側を引っ張り状態に保持してミシン装置の送り動作に抵抗力を加えることにより、該端縁部を略直線状に変形させるクランプ部と、を有することを特徴とする。さらに、ガイド部は、送り方向に向かって直線状に延びかつクランプ部が往復移動可能に支持されるレール部と、レール部を、手前側端部を上下位置が調整可能となるように奥側端部で回動可能に支持する支持部と、を有する。
【００１０】
この第１の形態では、補助装置によって、一方の生地の端縁部の縫い終わり側を引っ張り状態に保持してミシン装置の送り動作に抵抗力を加えることにより、その端縁部を略直線状に変形させることが可能になる。すなわち、互いに異なる曲線形状の端縁部を有する上下２枚の生地の縫い付けを行う場合において、一方の生地については端縁部を補助装置で曲線形状から略直線状に変形させて自動補助装置に対し送り方向に向かってそのまま送ることが可能になる一方、他方の生地についてのみ送り方向に直交する左右方向に生地を動かしながら端縁部と縫い目までの間隔を調整すればよい。換言すれば、補助装置で曲線形状から略直線状に変形させた一方の生地の端縁部を基準にして、一方の生地の端縁部に他方の生地の曲線形状を沿わせながら両生地の端縁部同士を縫い合わせていくことが可能になる。このように、一方の生地の送り動作を補助する補助装置を設けたことにより、縫い合わせ部分にしわ等の不具合が生じるおそれが減少しかつ作業者の負担が軽減されるため、経験の浅い作業者であっても所定の品質の縫い上がりを得ることができる。さらに、第１の形態では、レール部の手前側端部における上下位置を調整することによって、クランプ部のミシン装置に対する生地の引っ張り状態を適宜調整することができる。
【００１１】
第２の形態は、第１の形態において、クランプ部は、レール部を上下両側から挟持した状態で転動して該レール部の長手方向に沿って往復移動可能な上下のローラーを有しており、該レール部は、支持部により、レールの奥側端部の高さが手前側端部よりも高くなるように傾斜しており、該クランプ部は、該レール部を該ローラーが転動して手前側端部から奥側端部に向かって傾斜登り方向に移動するときの該クランプ部の自重による抵抗により、該レール部上を受動的に移動するように構成されていることを特徴とする。
【００１２】
この第２の形態では、傾斜したレール部をクランプ部が上下のローラーの転動によって手前側端部から奥側端部に向かって傾斜登り方向に移動するときのクランプ部の自重による抵抗によりレール部上を受動的に移動することから、特別な電動部品を用いずとも簡単な構成でミシン装置の送り動作に合わせて一方の生地の端縁部の縫い終わり側を保持して引っ張ることができる。
【００１３】
第３の形態は、第１または第２の形態において、支持部には、クランプ部と接触したときに、該クランプ部による一方の生地端縁部の縫い終わり側の保持状態を解除させるスイッチ部が設けられていることを特徴とする。
【００１４】
この第３の形態では、クランプ部が生地の端縁部の縫い終わり側を保持した状態でレール部を移動してスイッチ部に接触すると、クランプ部による一方の生地端縁部の縫い終わり側の保持状態が解除される。このようにスイッチ部により、簡単な構成でクランプ部による一方の生地の保持状態を解除して、該生地端縁部の縫い終わり側をスムーズにミシン装置まで送ることができるとともに、その後は、クランプ部をその自重等でレール部の傾斜に沿って手前側に戻すことができる。
【００１５】
第４の形態に係るミシン用補助装置は、互いに異なる曲線形状の端縁部を有する上下２枚の生地の該端縁部同士を送り方向に送りながら縫い合わせるミシン装置の手前側に配置され、かつ該ミシン装置における生地の送り方向に直交する左右方向の各生地の端縁部から縫い目までの位置ずれを自動補正する自動補正装置に設けられるものである。ミシン用補助装置は、自動補正装置の手前側に配置され、かつミシン装置による一方の生地の送り動作を補助する補助装置を備えている。そして、補助装置は、自動補正装置に向かって延びるように配置されたガイド部と、該ガイド部に移動可能に設けられ、一方の生地の端縁部の縫い終わり側を引っ張り状態に保持してミシン装置の送り動作に抵抗力を加えることにより、該端縁部を略直線状に変形させるクランプ部と、ミシン装置における生地の送り速度を検知する送り速度センサと、クランプ部をガイド部に沿って移動させる駆動部と、クランプ部がガイド部上で、送り速度センサにより検知された送り速度に同期して自動的に移動するように駆動部を制御する制御部と、を有することを特徴とする。
【００１６】
この第４の形態では、補助装置により、縫い合わせ部分にしわ等の不具合が生じるおそれが減少しかつ作業者の負担が軽減されるため、経験の浅い作業者であっても所定の品質の縫い上がりを得ることができる。さらに、クランプ部がレール部上を能動的に移動可能になり、クランプ部の速度が常に送り速度に適した速度になるように制御することができる。
【００１７】
第５の形態はミシンに係り、このミシンは、第１〜第４の形態のいずれか１つに記載のミシン用補助装置を備えることを特徴とする。
【００１８】
この第５の形態では、第１の形態と同様の作用効果を奏することができる。
【発明の効果】
【００１９】
本発明によると、互いに異なる曲線形状の端縁部を有する上下２枚の生地の縫い付けを行う場合において、一方の生地の端縁部の縫い終わり側を引っ張り状態に保持してミシン装置の送り動作に抵抗力を加えるように送り動作を補助する補助装置を設けたことにより、縫い合わせ部分にしわ等の不具合が生じるおそれが減少しかつ作業者の負担が軽減されるため、経験の浅い作業者であっても所定の品質の縫い上がりを得ることができる。
【図面の簡単な説明】
【００２０】
【図１】図１は、本発明の実施形態に係るミシンを上方から見て示す斜視図である。
【図２】図２は、ミシンを側方から見て示す斜視図である。
【図３】図３は、図２に示すミシン装置および自動補正装置の部分拡大斜視図である。
【図４】図４は、補助装置の正面図である。
【図５】図５は、奥側支持部およびクランプ部を示す部分拡大側面図である。
【図６】図６は、手前側支持部を上方から見て示す部分拡大斜視図である。
【図７】図７は、クランプ部を下方から見て示す斜視図である。
【図８】図８は、クランプ部の側面図である。
【図９】図９は、シャツにおける身頃および袖部の縫製前形状を示す概略図である。
【発明を実施するための形態】
【００２１】
以下、本発明の実施形態を図面に基づいて詳細に説明する。以下の実施形態の説明は、本質的に例示に過ぎず、本発明、その適用物或いはその用途を制限することを意図するものではない。
【００２２】
図１および図２は、本発明の実施形態に係るミシンＳを示し、このミシンＳは、ミシン装置１、自動補正装置２０、および補助装置３０を主たる要素として備えている。以下、各装置について詳細に説明する。なお、本実施形態において、ミシン装置１、自動補正装置２０、および補助装置３０は、いずれも作業台Ｔ上に設置されている。
【００２３】
以下の説明において、「上方（上側）」および「下方（下側）」とはミシンＳの上下方向の位置関係を表している。また、ミシンＳを使用する縫製作業者から見たときのミシン装置１を基準にした場合に、「手前側」とはミシン装置１よりも縫製作業者に近い側を表す一方、「奥側」とは縫製作業者からミシン装置１よりも遠い側の位置関係を表すものとする。また、「左右方向」とは平面視で後述する生地の送り方向Ａと直交する方向を表すものとする。
【００２４】
（ミシン装置）
ミシン装置１は、主に縁かがり縫いに用いられるオーバロックミシンであり、具体的には、互いに異なる曲線形状の端縁部を有する上下２枚の生地Ｗ１，Ｗ２（図９参照）の端縁部同士を、両端縁部が重ね合わされた状態で縫製作業者から見て送り方向Ａに送りながら縫い合わせ可能に構成されている。なお、図９では、上側生地Ｗ１がシャツの袖部を、下側生地Ｗ２がシャツの身頃をそれぞれ示している。
【００２５】
図１〜図３に示すように、ミシン装置１は本体部２を備えており、この本体部２における上下方向の略中央には略矩形箱状のシリンダベッド部３が取り付けられている。
【００２６】
シリンダベッド部３の上部には、手前側から送り方向Ａに送られていく生地を載置する針板４が水平に配設されている。この針板４には、後述するミシン針７をシリンダベッド部３の内部に落とすための針落ち孔（図示せず）と、送り方向Ａに延びる送り溝（図示せず）とが設けられている。また、送り溝の内部には、送り溝内で針棒６の上下往復動に同期して楕円運動を行いながら針板４の上面に載置された生地を送る送り歯（図示せず）が設けられている。
【００２７】
シリンダベッド部３の上方には、ミシンヘッド部５が取り付けられている。このミシンヘッド部５の下部には、針板４に向かって下方に延びる針棒６および針棒６の下端部に固定されたミシン針７が設けられている。このミシンヘッド部５には針棒６を上下に往復移動させるための駆動機構（図示せず）が内蔵されている。また、ミシンヘッド部５の下方には、アーム部８が取り付けられており、このアーム部８には押え部１１が設けられている。
【００２８】
このようなミシン装置１により、針板４の上面に生地を載置し、押え板１１で押さえながら本体部２を駆動させることによって、ミシン針７で生地の端縁部を縁かがり縫いすることができる。なお、本実施形態によるミシン装置１は周知の機構を用いている。そして、上述した構成以外の他の構成についてはその詳細な説明を省略する。
【００２９】
（自動補正装置）
図１〜図３に示すように、前記自動補正装置２０は、ミシン装置１の手前側に配置されており、ミシン装置１における生地の送り方向Ａに直交する左右方向の各生地の端縁部から縫い目までの位置ずれを自動補正するものである。
【００３０】
具体的に、図３に示すように、自動補正装置２０はブラケット２１Ａを有しており、このブラケット２１Ａには左右方向に間隔をあけて並んだ２つの歯付きプーリ２２，２２が設けられていて、このプーリ２２，２２間に歯付ベルトからなる送りベルト２４が内周面の歯部を歯付プーリに噛み合わせた状態で巻き掛けられている。また、ブラケット２１Ａには一方のプーリ２２を駆動させるためのモータ２３が取り付けられており、このモータ２３の作動によりプーリ２２，２２が正転または逆転し、送りベルト２４が左右方向に移動する。送りベルト２４の外周面は、生地を送り得る程度の摩擦係数を有する。
【００３１】
また、本体部２の上面にはブラケット２ａが取付固定され、このブラケット２ａは、送りベルト２４真上の位置まで手前側に突出する突出部２ｂを有し、この突出部２ｂには上下方向に延びるエアシリンダからなる押圧シリンダ２８が取付固定されている。この押圧シリンダ２８のピストンロッド２８ａはブラケット２ａの突出部２ｂを貫通してその下側に延び、その先端（下端）には昇降部２７が移動一体に取り付けられている。この昇降部２７は円柱状のもので、その下端部には半球形状の押え部２７ａが形成されており、押圧シリンダ２８の伸張動作によりピストンロッド２８ａと共に昇降部２７が下降移動したときに、その半球形状の押え部２７ａにより送りベルト２４上の生地を挟み込み、その状態で送りベルト２４の移動により生地を左右方向に送るようになっている。
【００３２】
そして、前記押圧シリンダ２８は、針板４上に送られてくる生地の端縁部から縫い目までの左右方向に沿った方向の位置ずれを自動検知する検知部（図示せず）による検知信号を受けた外部エア供給装置（図示せず）から空気供給を受けて作動するようになっている。
【００３３】
すなわち、検知部の検知信号によって押圧シリンダ２８が伸張動作すると、そのピストンロッド２８ａ下端の昇降部２７が下降し、その下端の押え部２７ａが送りベルト２４上に配置された生地に強く接触する。そして、検知部の検知信号によるモータ２３の駆動により、生地は、押え部２７ａおよび送りベルト２４に挟まれた状態で送りベルト２４の動きに応じ左右いずれかの方向に移動することになる。これにより、左右方向の各生地の端縁から縫い目までの位置ずれが自動補正されるようになる。なお、この自動補正が終了すると、押圧シリンダ２８の伸張動作が停止して収縮動作し、昇降部２７が上昇して元の状態に戻るようになる。
【００３４】
（補助装置）
図１および図２に示すように、補助装置３０は、自動補正装置２０の手前側に配置されており、ミシン装置１による一方の生地の送り動作を補助するように構成されている。この補助装置３０は、自動補正装置２０に向かって延びるように配置されたガイド部３１と、このガイド部３１に移動可能に設けられたクランプ部５０と、を備えている。以下、各構成について詳述する。
【００３５】
図１および図４に示すように、ガイド部３１は、クランプ部５０が往復移動可能に支持されるレール部３２を有している。このレール部３２は、送り方向Ａに向かって直線状に延びる細長い略板状に形成されており、厚さ方向に対向する両側面が左右両側に位置し、幅方向が上下鉛直面に沿うように配置されている。また、ガイド部３１は、レール部３２を長さ方向両端部で支持する支持部としての奥側支持部３３および手前側支持部４０を有している。
【００３６】
奥側支持部３３は、レール部３２の奥側に設けられており、レール部３２の奥側端部３２ａを鉛直面内で上下方向に回動可能に支持している。具体的に、図５に示すように、自動補助装置３０の手前側近傍に位置する作業台Ｔには、上方に向かって延びる支持脚３４が取付固定されており、この支持脚３４の上部に、レール部３２の奥側端部３２ａが水平方向の奥側回動軸３５によって上下方向に回動可能に支持されている。
【００３７】
図１および図４に示すように、手前側支持部４０は、レール部３２の手前側に設けられており、レール部３２の手前側端部３２ｂを上下方向に昇降可能に支持して、その高さ位置を変更できるようにしている。具体的に、図６に示すように、自動補助装置３０から手前側に遠く離れた位置の作業台Ｔ上に台座部４１が設けられており、この台座部４１は、作業台Ｔに形成した貫通孔Ｈを跨ぐようにして作業台Ｔ上に取付固定されている。この台座部４１の左側には、上下方向に延びる板状の昇降スライド部４３が、台座部４１に２本のねじＶ，Ｖにより固定した略Ｌ字状の固定金具４２との間で長さ方向にスライド可能（昇降可能）に支持された状態で取り付けられている。昇降スライド部４３は、作業台Ｔの貫通孔Ｈ内に挿通され、その上端部はレール部３２の手前側端部３２ｂが水平方向の手前側回動軸４４によって上下方向に回動可能に支持されている。
【００３８】
また、台座部４１には、起立状に上下方向に延びるエアシリンダからなる調整シリンダ４５がピストンロッド（図示せず）を台座部４１に貫通させた状態で固定され、この調整シリンダ４５のピストンロッドは作業台Ｔの貫通孔Ｈを通ってその下側に延び、その先端部（下端部）は前記昇降スライド部４３の下端部に移動一体に連結されており、調整シリンダ４５の回動軸４４および奥側端部３２ａの奥側支持部３３との連結により昇降スライド部４３を上下方向に昇降移動させることにより、レール部３２の手前側端部３２ｂにおける上下位置を調整することが可能になっている。そして、調整シリンダ４５により昇降スライド部４３の上下位置を調整することによって、図４に示すように、レール部３２は、奥側端部３２ａが手前側端部３２ｂよりも高くなるように傾斜している。
【００３９】
次に、図５、図７および図８に示すように、前記クランプ部５０は、略Ｔ字状の基部５１を有している。基部５１の上部右側には板状のローラー支持部５３が基部５１と間隔をあけて平行に配置され、このローラー支持部５３は基部５１の右面上部に、２つの円柱状の連結部５２，５２により、基部５１の右面と間隔をあけて対向するように一体的に取り付けられている。ローラー支持部５３の下部左面（基部５１との対向面）には、幅方向に間隔をあけて水平に並べられた例えば２つの上ローラー５４，５４が左右水平方向の軸心回りに回転可能に支持されている。また、基部５１の右面下部には、上ローラー５４，５４間の真下に位置する下ローラー５５が左右水平方向の軸心回りに回転可能に支持されている。図１および図４に示すように、クランプ部５０がレール部３２に設置された状態において、上ローラー５４，５４および下ローラー５５がレール部３２を上下両側から挟持した状態で転動することにより、クランプ部５０がレール部３２の長手方向に沿って往復移動可能になっている。
【００４０】
一方、基部５１の左面には、上方向に突出するピストンロッド５６ａを有するエアシリンダからなるクランプシリンダ５６が固定されている。このクランプシリンダ５６には外部エア供給装置（図示せず）のエアチューブ５８，５８を差し込むためのエア供給口５７，５７が設けられており、このエア供給口５７，５７を介して外部エア供給装置からクランプシリンダ５６内に加圧空気が供給されてクランプシリンダ５６が伸縮動作し、そのピストンロッド５６ａの突出長さが変化するようになっている。クランプシリンダ５６のピストンロッド５６ａ上部には円状の保持部５９が一体的に固定され、この保持部５９の上面には円柱状の凸部６０が上方に向かって突設されている。
【００４１】
また、基部５１の上端部には、前記保持部５９とその上方に対向するように左側に延びる天板部６１がねじ止めにより取付固定され、この天板部６１には、保持部５９の凸部６０を遊嵌合状態で嵌挿するための円形の孔部６２が貫通形成されている。
【００４２】
そして、図８に示すように、外部エア供給装置からクランプシリンダ５６に加圧空気が供給されると、クランプシリンダ５６が伸張動作してピストンロッド５６ａが保持部５９と共に上方に向かって移動し、保持部５９の凸部６０が天板部６１の孔部６２に嵌挿されるようになる（図８の仮想線を参照）。そして、外部エア供給装置からクランプシリンダ５６内に空気が供給され続ける限り、この嵌挿状態が維持される。このような保持部５９の動作によって、一方の生地の端縁部における縫い終わり側を保持することが可能となる。
【００４３】
図４に示すように、レール部３２は奥側端部３２ａが手前側端部３２ｂよりも高くなるように傾斜していることから、クランプ部５０は、他の外力が作用しない限り、自重によりレール部３２の傾斜に沿って手前側に移動するようになる。ところが、クランプ部５０が一方の生地端縁部の縫い終わり側を保持している状態でミシン装置１に生地がセットされ、送り方向Ａに生地を送ると、クランプ部５０は、送り動作する生地に引っ張られてレール部３２を手前側端部３２ｂから奥側端部３２ａに向かって登るように移動する。すなわち、クランプ部５０は、レール部３２を手前側端部３２ｂから奥側端部３２ａに向かって傾斜登り方向に移動するときのクランプ部５０の自重による抵抗により、レール部３２上を受動的に移動するようになる。そして、例えば図９に示す下側生地Ｗ２（身頃）を補助装置３０にセットしてミシン装置１を作動させると、クランプ部５０が下側生地Ｗ２の端縁部の縫い終わり側を自重抵抗により引っ張り状態に保持し、下側生地Ｗ２の端縁部を略直線状に変形させる（図４参照）。
【００４４】
ここで、図４および図５に示すように、奥側支持部３３の支持脚３４には、接点部３６ａを有するリミットスイッチからなるスイッチ部３６が設けられている。このスイッチ部３６は、外部エア供給装置に対し例えば電気的に接続されており、接点部３６ａにクランプ部５０が接触して、その接触をスイッチ部３６が検出したときに、スイッチ部３６から切換信号が出力されて、その切換信号に基づきクランプシリンダ５６のピストンロッド５６ａが保持部５９と一体的に下降移動するようになっている。このように、スイッチ部３６の接点部３６ａにクランプ部５０が接触すると、クランプ部５０のクランプシリンダ５６のピストンロッド５６ａおよび保持部５９が下方に移動する。これにより、クランプ部５０による一方の生地端縁部の縫い終わり側の保持状態が解除され、クランプ部５０は自重によりレール部３２の傾斜に沿って手前側に移動する。
【００４５】
また、図１および図４に示すように、レール部３２には、クランプ部５０を所定の位置に位置決め可能なストッパー部３７が取り付けられている。このストッパー部３７はレール部３２に任意の位置に移動可能に固定されており、ストッパー部３７により、クランプ部５０は、自重によりレール部３２の傾斜に沿って手前側に移動しても、所定の位置に位置決めされたストッパー部３７に当接してそれ以上手前側に移動しないようになっている。
【００４６】
（実施形態の作用効果）
以上のように、本実施形態に係るミシンＳでは、補助装置３０によって、一方の生地の端縁部の縫い終わり側を引っ張り状態に保持してミシン装置１の送り動作に抵抗力を加えることにより、端縁部を略直線状に変形させることが可能になっている。例えば本実施形態のように、互いに異なる曲線形状の端縁部を有する上下２枚の生地Ｗ１，Ｗ２のうち、補助装置３０により曲線形状から略直線状に変形させた下側生地Ｗ２（身頃）については、端縁部を自動補助装置３０に対し送り方向Ａに向かってそのまま送ることが可能になる一方、上側生地Ｗ１（袖部）については、補助装置３０を使用せずに送り方向Ａに直交する左右方向に下側生地Ｗ２を動かしながら端縁部と縫い目までの間隔を調整すればよい。換言すれば、補助装置３０で曲線形状から略直線状に変形させた下側生地Ｗ２の端縁部を基準にして、下側生地Ｗ２の端縁部に上側生地Ｗ１の曲線形状を沿わせながら生地Ｗ１，Ｗ２の端縁部同士を縫い合わせていくことが可能になる。
【００４７】
したがって、こうして一方の生地の送り動作を補助する補助装置３０を設けたことにより、互いに異なる曲線形状の端縁部を有する上下２枚の生地の縫い付けを行う場合において、縫い合わせ部分にしわ等の不具合が生じるおそれが減少しかつ作業者の負担が軽減される。そのため、経験の浅い作業者であっても所定の品質の縫い上がりを得ることができる。
【００４８】
また、レール部３２および支持部３３，４０を有するガイド部３１では、レール部３２の手前側端部３２ｂにおける上下位置を調整することによって、クランプ部５０のミシン装置１に対する生地の引っ張り状態を適宜調整することができる。
【００４９】
また、上下のローラー５４，５５を有するクランプ部５０は、手前側端部３２ｂから奥側端部３２ａに向かって傾斜登り方向に移動するときのクランプ部５０の自重による抵抗により、傾斜したレール部３２上を受動的に移動することから、特別な電動部品を用いずとも簡単な構成でミシン装置１の送り動作に合わせて一方の生地の端縁部の縫い終わり側を保持して引っ張ることができる。
【００５０】
さらに、奥側支持部３３には、クランプ部５０と接触したときに、クランプ部５０による一方の生地端縁部の縫い終わり側の保持状態を解除させるスイッチ部３６が設けられているため、簡単な構成により奥側支持部３３側でクランプ部５０による一方の生地の保持状態を解除して、当該生地端縁部の縫い終わり側をスムーズにミシン装置１まで送ることができる。それとともに、その後は、クランプ部５０をその自重でレール部３２の傾斜に沿って手前側に戻すことができる。
【００５１】
［その他の実施形態］
上記実施形態に係るミシンＳにおいて、クランプ部５０は、レール部３２を手前側端部３２ｂから奥側端部３２ａに向かって傾斜登り方向に移動するときのクランプ部５０の自重による抵抗により、レール部３２上を受動的に移動する形態を示したが、この形態に限られない。例えば、補助装置３０は、ミシン装置１における生地の送り速度を検知する送り速度センサと、クランプ部５０をガイド部３１に沿って移動させる駆動部と、クランプ部５０がガイド部３１上で、送り速度センサにより検知された送り速度に同期して自動的に移動するように駆動部を制御する制御部と、を有する形態であってもよい。このような補助装置３０であれば、クランプ部５０がレール部３２上を能動的に移動可能になり、クランプ部５０の速度が常に送り速度に適した速度になるように制御することができる。
【００５２】
また、上記実施形態に係るミシンＳの補正装置３０では、外部エア供給装置からの空気供給によるクランプシリンダ５６を動力源として一方の生地の端縁部の縫い終わり側を保持するクランプ部５０を示したが、この形態に限られず、クランプ部５０は、他の手段による動力源（例えばモータや電磁石など）を用いた形態であってもよい。
【００５３】
以上、本発明についての実施形態を説明したが、本発明は上述の実施形態のみに限定されず、発明の範囲内で種々の変更が可能である。
【産業上の利用可能性】
【００５４】
本発明は、例えば互いに異なる曲線形状の端縁部を有する上下２枚の生地の縫い付けに用いられるミシン装置に設けられる補助装置およびそれを用いたミシンとして産業上の利用が可能である。
【符号の説明】
【００５５】
Ｓ：ミシン
１：ミシン装置
２０：自動補正装置
３０：補助装置
３１：ガイド部
３２：レール部
３２ａ：奥側端部
３２ｂ：手前側端部
３３：奥側支持部（支持部）
３４：支持脚
３６：スイッチ部
４０：手前側支持部（支持部）
５０：クランプ部
５４：上ローラー
５５：下ローラー
５９：保持部
６１：天板部
Ａ：送り方向
Ｔ：作業台
Ｗ１：上側生地
Ｗ２：下側生地
【図１】
0006735017.tif 000002
【図２】
0006735017.tif 000003
【図３】
0006735017.tif 000004
【図４】
0006735017.tif 000005
【図５】
0006735017.tif 000006
【図６】
0006735017.tif 000007
【図７】
0006735017.tif 000008
【図８】
0006735017.tif 000009
【図９】
0006735017.tif 000010